(57)【要約】【課題】照明機器の制御に用いる情報を適切に管理する照明システムを提供する。【解決手段】照明システムは、制御ユニットと、外部サーバとを具備する。制御ユニットは、照明機器を制御する制御ユニットであって、応答性を要する照明機器の制御に関する第１情報を保有する。外部サーバは、第１情報以外の情報である第２情報を保存し、制御ユニットからの要求に応じて第２情報を制御ユニットへ送信する。制御ユニットは、ユーザの操作による照明機器の制御に関する情報を含む第１情報を保有する。【選択図】図１
2017059403.tif 000002
【特許請求の範囲】
【請求項１】
照明機器を制御する制御ユニットであって、応答性を要する前記照明機器の制御に関する第１情報を保有する制御ユニットと；
前記第１情報以外の情報である第２情報を保存し、前記制御ユニットからの要求に応じて前記第２情報を前記制御ユニットへ送信する外部サーバと；
を具備することを特徴とする照明システム。
【請求項２】
前記制御ユニットは、ユーザの操作による前記照明機器の制御に関する情報を含む前記第１情報を保有する
ことを特徴とする請求項１に記載の照明システム。
【請求項３】
前記制御ユニットは、前記照明機器の制御中において当該制御に要する前記第２情報を前記外部サーバから取得する
ことを特徴とする請求項１または請求項２に記載の照明システム。
【請求項４】
前記制御ユニットは、各々に対応する情報により前記照明機器への制御を行う所定数の操作部を有し、前記所定数以下の数の前記情報を含む前記第２情報を前記外部サーバから取得する
ことを特徴とする請求項３に記載の照明システム。
【発明の詳細な説明】
【技術分野】
【０００１】
本発明の実施形態は、照明システムに関する。
【背景技術】
【０００２】
従来、スタジオや舞台等では、複数の照明機器により照明演出がなされている。このような照明演出を行う照明システムでは、照明機器を制御する制御ユニットに照明機器の制御に用いられる情報が記憶される。
【先行技術文献】
【特許文献】
【０００３】
【特許文献１】特開２００７−２６５７６５号公報
【特許文献２】特開２０１２−０６９４２３号公報
【発明の概要】
【発明が解決しようとする課題】
【０００４】
しかしながら、上述した照明システムにおいては、制御ユニットの制約等により、照明機器の制御に用いられる情報を制御ユニットに保有することが難しい場合がある。例えば、制御ユニットの記憶容量の制約により、十分な情報が記憶できない場合がある。また、照明システムに対して所望される機能は、利用者や設置位置ごとに変化するため、照明システムごとに独自の設定がなされた状態で納品される。この結果、製造や保守に伴うコストの増加や、保守性の悪化を招く場合がある。
【０００５】
本発明は、照明機器の制御に用いる情報を適切に管理する照明システムを提供することを目的とする。
【課題を解決するための手段】
【０００６】
本実施形態の照明システムは、制御ユニットと、外部サーバとを具備する。制御ユニットは、照明機器を制御する制御ユニットであって、応答性を要する照明機器の制御に関する第１情報を保有する。外部サーバは、第１情報以外の情報である第２情報を保存し、制御ユニットからの要求に応じて第２情報を制御ユニットへ送信する。
【発明の効果】
【０００７】
本発明によれば、照明機器の制御に用いる情報を適切に管理することができる。
【図面の簡単な説明】
【０００８】
【図１】図１は、実施形態に係る照明システムを示す図である。
【図２】図２は、実施形態に係る照明システムを示す図である。
【図３】図３は、実施形態に係る照明システムを示す図である。
【図４】図４は、実施形態に係る制御ユニットの構成を示す図である。
【図５】図５は、実施形態に係る操作部情報記憶部に記憶される情報の一例を示す図である。
【図６】図６は、実施形態に係る一時情報記憶部に記憶される情報の一例を示す図である。
【図７】図７は、実施形態に係るクラウドサーバの構成を示す図である。
【図８】図８は、実施形態に係る第２情報記憶部に記憶される情報の一例を示す図である。
【図９】図９は、実施形態に係る照明機器の調光の再現の一例を示すシーケンス図である。
【図１０】図１０は、実施形態に係る更新後の操作部情報記憶部に記憶される情報の一例を示す図である。
【図１１】図１１は、実施形態に係る更新後の一時情報記憶部に記憶される情報の一例を示す図である。
【発明を実施するための形態】
【０００９】
以下で説明する実施形態に係る照明システム１は、照明機器１０を制御する制御ユニット１００であって、応答性を要する照明機器１０の制御に関する第１情報を保有する制御ユニット１００と、第１情報以外の情報である第２情報を保存し、制御ユニット１００からの要求に応じて第２情報を制御ユニット１００へ送信する外部サーバ（実施形態においては「クラウドサーバ４０」）とを具備する。
【００１０】
また、以下で説明する実施形態に係る照明システム１において、制御ユニット１００は、ユーザの操作による照明機器１０の制御に関する情報を含む第１情報を保有する。
【００１１】
また、以下で説明する実施形態に係る照明システム１において、制御ユニット１００は、照明機器１０の制御中において当該制御に要する第２情報を外部サーバから取得する。
【００１２】
また、以下で説明する実施形態に係る照明システム１において、制御ユニット１００は、各々に対応する情報により照明機器１０への制御を行う所定数の操作部（実施形態においては、「第２操作部２０Ｂ−２」）を有し、所定数以下の数の情報を含む第２情報を外部サーバから取得する。
【００１３】
［実施形態］
まず、本発明の実施形態に係る照明システム１を図面に基づいて説明する。図１〜図３は、実施形態に係る照明システムを示す図である。具体的には、図１では、照明システム１において、制御ユニット１００における所定の操作者（以下、「ユーザ」とする）が行った操作に関する操作情報に応じた制御情報を送信する例を示す。また、図２は、照明システム１において、制御ユニット１００に保有する一時情報に基づいてユーザによるシーンの指定に応じた制御情報を送信する例を示す。また、図３は、照明システム１において、更新された一時情報に基づいてユーザによるシーンの指定に応じた制御情報を送信する例を示す。また、図１〜図３に示す例においては説明のため、シーンの再現に必要な一時情報（以下、「調光情報」とする場合がある）を１パッケージのみ制御ユニット１００に保有可能とする。しかしながら、実施形態はこれに限定されるものではなく、制御ユニット１００は、任意の数の一時情報を保有してよい。
【００１４】
［照明システムの構成］
照明システム１は、照明機器１０−１と、照明機器１０−２と、タブレット操作機２０Ａと、フェーダ操作機２０Ｂと、照明制御装置３０と、クラウドサーバ４０と、端末装置５０とを具備する。以下では、照明機器１０−１と照明機器１０−２について、特に区別なく説明する場合には、照明機器１０と記載する。また、以下では、タブレット操作機２０Ａと、フェーダ操作機２０Ｂとを、特に区別なく説明する場合には、操作機２０と記載する。また、以下では、照明制御装置３０と、操作機２０とを合わせて制御ユニット１００とする。
【００１５】
また、図１に示す照明システム１において、照明機器１０と、制御ユニット１００とは、例えばイーサネット（登録商標）等による所定のネットワークＮＴ１により通信可能に接続されるものとする。なお、ネットワークＮＴ１は、照明システム１の導入先となるスタジオや劇場等の施設で使用されるＬＡＮ（ローカル・エリア・ネットワーク）であってもよいし、インターネットであってもよい。なお、照明システム１の導入先における管理者等は、端末装置５０により、照明システム１の動作状況を確認してもよい。
【００１６】
照明機器１０−１及び照明機器１０−２は、例えばＬＥＤ（Light  Emitting  Diodes）等の半導体発光素子を光源とする照明機器１０である。例えば、照明機器１０−１は、バトン（図示省略）等により所定の位置に吊り下げられたり、所定の位置に置かれたりして用いられる。また、例えば、照明機器１０は、例えばＤＭＸノードやＲＤＭノードを経由して制御ユニット１００から送信される制御情報に従って、明るさ、範囲、色彩等を変化させることで、スタジオや舞台等の照明演出を行う。また、照明機器１０−１は、所定の通信プロトコル、例えばＤＭＸ規格に従った通信プロトコルや、ＤＭＸを拡張したＲＤＭ（Remote  Device  Management）規格に沿った通信方式により、ノードと双方向通信を行ってもよい。すなわち、照明機器１０は、任意の通信規格を介して、制御ユニット１００から受付けた指示に従い、照明演出を行うことができるのであれば、任意の照明機器が適用可能である。
【００１７】
タブレット操作機２０Ａやフェーダ操作機２０Ｂ等の操作機２０は、各照明機器１０に対して制御を行うユーザによる操作を受付ける。なお、以下の例においては、説明のためフェーダ操作機２０Ｂのみを操作機２０として用いる場合を示すが、実施形態はこれに限定されるものではなく、以下に説明する処理と同様の処理により、タブレット操作機２０Ａを操作機２０として用いてもよい。
【００１８】
フェーダ操作機２０Ｂは、複数のフェーダやボタン、エンコーダ等の操作部を有する。なお、以下では説明のため制御アドレスが割り当てられる操作部を第１操作部２０Ｂ−１１〜２０Ｂ−１２等（図４参照）とし、調光情報が割り当てられる操作部を第２操作部２０Ｂ−２（図４参照）とする。
【００１９】
照明制御装置３０は、操作機２０におけるユーザの操作等に応じて各照明機器１０の調光等を制御する情報を照明機器１０に送信する。なお、以下では操作機２０におけるユーザの操作等に応じて応答性を要する照明機器１０の制御に関する情報を第１情報とする。例えば、第１情報には、第１操作部２０Ｂ−１１〜２０Ｂ−１２等の操作に応じて照明機器１０の調光を制御するために用いられる情報を含む。すなわち、制御ユニット１００の照明制御装置３０は、ユーザの操作による照明機器１０の制御に関する情報を含む第１情報を保有する。
【００２０】
クラウドサーバ４０は、照明システム１の導入先から遠隔にあるサービス提供者側の所定の地点に設けられる装置である。具体的には、クラウドサーバ４０は、第１情報以外の情報である第２情報を保存し、制御ユニット１００からの要求に応じて第２情報を制御ユニット１００へ送信する外部サーバである。また、クラウドサーバ４０は、導入先の制御ユニット１００等と所定のネットワークＮＴ２により双方向通信が可能である。例えば、ネットワークＮＴ２は、専用通信回線や仮想プライベートネットワーク（Virtual  Private  Network）であってもよいし、インターネットであってもよい。クラウドサーバ４０は、管理端末６０Ａ、及びタブレット端末やスマートフォン等の携帯端末６０Ｂと所定のネットワークＮＴ３により通信可能である。また、サービス提供者側の管理者Ａ１は、管理端末６０Ａや携帯端末６０Ｂ等により、クラウドサーバ４０に収集された情報を確認し管理する。
【００２１】
なお、図１に示す例では、制御ユニット１００が直接照明機器１０を制御する例について記載した。このような構成においては、ＤＭＸ規格に沿った通信により、操作機２０における操作内容が照明機器１０に伝達され、照明機器１０が照明演出を実現することとなる。しかしながら、実施形態は、これに限定されるものではない。例えば、照明機器１０がハロゲンランプ等により実現される場合、制御ユニット１００は、照明機器１０に電力を供給する調光盤に対して、ＤＭＸ規格に沿った通信等で制御内容を伝達する。かかる場合、調光盤は、伝達された制御内容に従い、照明機器１０の制御を行う。このような構成の照明システムにおいても、以下に説明する制御ユニット１００は、適用可能である。
【００２２】
［照明システムにおける処理例］
まず、図１を用いてユーザ操作に応じた照明機器１０の制御について説明する。フェーダ操作機２０Ｂは、ユーザによる第１操作部２０Ｂ−１１〜２０Ｂ−１２等への操作に応じた操作情報を照明制御装置３０へ送信する（ステップＳ１１）。フェーダ操作機２０Ｂから操作情報を受信した照明制御装置３０は、操作情報に基づく制御情報を照明機器１０に送信する（ステップＳ１２）。例えば、照明制御装置３０は、所定のノードを経由して制御情報を照明機器１０−１へ送信する。照明制御装置３０から制御情報を受信した照明機器１０は、制御情報に従って、調光を制御する。具体的には、照明機器１０は、制御情報に従って、明るさ、範囲、色彩等を変化させる。
【００２３】
次に、図２を用いて一時情報に基づいたシーンを再現する照明機器１０の制御について説明する。なお、図２においては、第２操作部２０Ｂ−２にシーンＡを再現する調光情報が割り当てられるものとする。
【００２４】
フェーダ操作機２０Ｂは、ユーザによる第２操作部２０Ｂ−２への操作に応じたシーンＡの再現を指示することを示す指示情報を照明制御装置３０へ送信する（ステップＳ２１）。フェーダ操作機２０Ｂから指示情報を受信した照明制御装置３０は、指示情報に基づいて、シーンＡを再現するための制御情報を照明機器１０に送信する（ステップＳ２２）。例えば、照明制御装置３０は、所定のノードを経由して、シーンＡを再現するための制御情報を照明機器１０−１へ送信する。照明制御装置３０から、シーンＡを再現するための制御情報を受信した照明機器１０は、制御情報に従って、調光を制御する。具体的には、照明機器１０は、シーンＡを再現するための制御情報に従って、明るさ、範囲、色彩等を変化させる。なお、シーンＡを再現するための制御情報には、複数の照明機器１０をそれぞれ個別に制御するための情報が含まれているものとする。
【００２５】
次に、図３を用いて一時情報を更新し更新した一時情報に基づいたシーンを再現する照明機器１０の制御について説明する。なお、図３においては、第２操作部２０Ｂ−２にシーンＡを再現する調光情報が割り当てられるものとする。
【００２６】
まず、照明制御装置３０は、シーンＢを再現する必要が生じた場合、クラウドサーバ４０にシーンＢの情報を要求する（ステップＳ３１）。
【００２７】
照明制御装置３０からシーンＢの情報の要求を受け付けたクラウドサーバ４０は、要求に対応する調光情報を第２情報の中から抽出する（ステップＳ３２）。その後、クラウドサーバ４０は、ステップＳ３２において抽出したシーンＢの調光情報を一時情報として照明制御装置３０へ送信する（ステップＳ３３）。
【００２８】
クラウドサーバ４０から一時情報を受信した照明制御装置３０は、一時情報を更新する（ステップＳ３４）。具体的には、照明制御装置３０は、一時情報をシーンＡの再現に必要な調光情報からシーンＢの再現に必要な調光情報へ更新する。
【００２９】
その後、フェーダ操作機２０Ｂは、ユーザによる第２操作部２０Ｂ−２への操作に応じたシーンＢの再現を指示することを示す指示情報を照明制御装置３０へ送信する（ステップＳ３５）。フェーダ操作機２０Ｂから指示情報を受信した照明制御装置３０は、指示情報に基づいて、シーンＢを再現するための制御情報を照明機器１０に送信する（ステップＳ３６）。例えば、照明制御装置３０は、所定のノードを経由して、シーンＢを再現するための制御情報を照明機器１０−１へ送信する。照明制御装置３０から、シーンＢを再現するための制御情報を受信した照明機器１０は、制御情報に従って、調光を制御する。具体的には、照明機器１０は、シーンＢを再現するための制御情報に従って、明るさ、範囲、色彩等を変化させる。
【００３０】
このように、制御ユニット１００の照明制御装置３０は、クラウドサーバ４０に保存された第２情報のうち必要な情報を取得することにより、記憶容量が十分でない場合であっても、必要に応じて一時情報を更新し、照明機器１０の制御を行うことができる。また、制御ユニット１００は、フェーダ操作機２０Ｂの第１操作部２０Ｂ−１１〜２０Ｂ−１２等への操作に応じた制御に必要な情報を、第１情報として常時、照明制御装置３０に保有しておくことにより、応答性を要する照明機器１０の制御も行うことができる。
【００３１】
例えば、舞台やスタジオでの照明制御において、演目や番組の内容に応じて、必要となるシーンの種類や数が異なる。また、演目や番組の時間によっては、必要となるシーン全ての情報を制御ユニット１００に保有することが難しい場合も考えられる。このため、照明システム１は、クラウドサーバ４０に第２情報として、応答性を要しないシーン等の情報を保存し、必要に応じて制御ユニット１００に取得させる。このため、照明システム１は、制御ユニット１００における記憶容量が十分でない場合であっても、所望の演目や番組の調光を行うことができる。
【００３２】
また、照明制御を行うタイミングでクラウドサーバ４０から制御情報を取得若しくは配信した場合は、応答性の悪化を招く場合がある。さらに、安全性を考慮した場合、照明機器１０のＯＮ／ＯＦＦ等、最低限の制御機能は舞台やスタジオ側の機能として設けられるのが望ましい。そこで、ユーザは、必要最低限の機能のみを有する制御ユニット１００を導入し、クラウドサーバ４０から必要になった機能のみを後から取得することにより、ユーザにとって適切な制御ユニット１００を構成することが可能となる。また、このような構成を有することにより、照明システム１は、舞台やスタジオごとに異なる機能が求められている場合にも、安全性を担保しつつ、保全性の確保や導入コストの削減を実現できる。
【００３３】
また、制御ユニット１００は、クラウドサーバ４０から必要なアプリケーション等のソフトウェアを取得することにより、必要な機能を追加することができる。すなわち、照明システム１は、制御ユニット１００の初期費用を抑制することができる。さらに、照明システム１において、制御ユニット１００のユーザは、操作機２０のようなハードウェアも後から追加可能となる。
【００３４】
［制御ユニット１００の構成例］
次に、図４を用いて、実施形態に係る制御ユニット１００の構成について説明する。図４は、実施形態に係る制御ユニットの構成を示す図である。図４に示すように、制御ユニット１００は、フェーダ操作機２０Ｂと照明制御装置３０とを有する。すなわち、フェーダ操作機２０Ｂは、制御ユニット１００の操作部として機能する。
【００３５】
フェーダ操作機２０Ｂの第１操作部２０Ｂ−１１〜２０Ｂ−１２や第２操作部２０Ｂ−２は、例えば各照明機器１０の照度、色彩、照明する向き、動き等の操作を受付けるスライダである。また、第１操作部２０Ｂ−１１〜２０Ｂ−１２や第２操作部２０Ｂ−２は、各調光情報を対応付けるボタンやスイッチであってもよい。
【００３６】
照明制御装置３０は、通信部３１と、記憶部３２と、表示部３３と、制御部３５とを有する。
【００３７】
通信部３１は、照明機器１０やクラウドサーバ４０等との間の通信を制御する機能を有し、例えば、ＮＩＣ等により実現される。
【００３８】
記憶部３２は、例えば、ＲＡＭ（Random  Access  Memory）、フラッシュメモリ（Flash  Memory）等の半導体メモリ素子、または、ハードディスク、光ディスク等の記憶装置によって実現される。実施形態に係る記憶部３２は、図４に示すように、操作部情報記憶部３２−１と、一時情報記憶部３２−２とを有する。
【００３９】
操作部情報記憶部３２−１には、照明制御装置３０に接続され操作部となるフェーダ操作機２０Ｂが有する複数の第１操作部２０Ｂ−１１〜２０Ｂ−１２や第２操作部２０Ｂ−２等と制御アドレスや一時情報との対応が記憶される。ここで、制御アドレスについて説明する。照明機器１０には、１つまたは複数の制御アドレスが予め設定されており、その制御アドレスを用いた制御に従って、照度、照明する光の色彩、照明する向き等の制御対象を変更する。すなわち、照明機器１０には、制御対象のそれぞれに対して異なる制御アドレスが設定されており、自装置に設定された制御アドレスを示す制御信号を受信した場合は、その制御アドレスが示す制御対象を、受信した制御信号に従って制御態様を変更する。なお、照明機器１０の制御対象としては、赤、緑、青、シアン、白（R:Red,  G:Green,  B:Blue,  C:Cyan,  W:White）といった照明する光の色彩や、照度（Intensity）、照明する位置や照明装置１０自体の位置を移動させる移動（Moving）等が採用される。各制御アドレスに対応するフェーダ操作機２０Ｂの第１操作部２０Ｂ−１１〜２０Ｂ−１２や第２操作部２０Ｂ−２等は、照明機器１０の制御対象に対応付けられる。
【００４０】
例えば、図５は、実施形態に係る操作部情報記憶部に記憶された情報の一例を示す図である。図５に示す例では、操作部情報記憶部３２−１には、第１操作部２０Ｂ−１１〜２０Ｂ−１２や第２操作部２０Ｂ−２を識別する操作部ＩＤと制御アドレスや一時情報（以下、「操作対象」する場合がある）とが対応付けて登録されている。例えば、図５に示す例では、各操作部ＩＤ「２０Ｂ−１１」〜「２０Ｂ−１２」等に制御アドレス「ＡＤ１」〜「ＡＤ２」等が対応付けて登録されている。また、例えば、図５に示す例では、各操作部ＩＤ「２０Ｂ−１２」等に一時情報「ＳＮ１１」が対応付けて登録されている。
【００４１】
なお、図５に示す例では、対応付けられた操作部ＩＤと制御アドレスとに異なる値が設定されていたが、実施形態はこれに限定されるものではない。例えば、１つの操作部ＩＤに対して複数の制御アドレスを対応付けることにより、複数の制御アドレスに対して共通の制御信号を与えてもよい。このような対応付けを行った場合は、例えば、一つのフェーダにより複数の照明機器１０を同時に制御することができる。
【００４２】
また、一時情報記憶部３２−２には、例えばシーンやキュー（ＣＵＥ）やサブマスタ（ＳＭ）等と称される調光情報が記憶される。例えば、図６は、実施形態に係る一時情報記憶部に記憶される情報の一例を示す図である。図６に示す例では、一時情報記憶部３２−２には、各調光情報を識別する一時情報ＩＤと対応する調光情報において制御される照明機器１０の制御対象に対応する制御アドレス等が記憶されている。なお、図６では、図示することは省略するが、調光情報には、照明機器１０の制御対象に対する具体的な制御内容を示す情報が含まれる。例えば、調光情報には、制御対象に対応する制御アドレス「ＡＤ１」に対応付けられた照明機器１０の制御対象を出力５０％にすることや、照明する光の色彩を示す色情報、色をどのように変化させるか等、照明機器１０に対して設定する各種の情報が含まれる。
【００４３】
図４に戻り説明を続ける。表示部３３は、例えば、液晶モニタ等により実現され、各種情報を表示する。表示部３３は、後述する制御部３５による制御に従い、照明制御装置３０が収集した情報を表示する。
【００４４】
制御部３５は、各種の処理手順などを規定したプログラム及び所要データを記憶するための内部メモリを有し、これらによって種々の処理を実行するが、特に本発明に密接に関連するものとしては、受信部３５−１、送信部３５−２、操作制御部３５−３、及び更新部３５−４を有する。
【００４５】
受信部３５−１は、外部からの各種情報を受信する。例えば、受信部３５−１は、クラウドサーバ４０から各種情報を受信する。また、例えば、受信部３５−１は、照明機器１０の制御中において当該制御に要する第２情報をクラウドサーバ４０から受信（取得）する。受信部３５−１は、各々に対応する情報により照明機器１０への制御を行う所定数の操作部を有し、所定数以下の数の情報（例えば一時情報）を含む第２情報をクラウドサーバ４０から取得（受信）する。受信部３５−１は、照明機器１０への制御を行う第２操作部２０Ｂ−２の数（図４においては１つ）以下の数の情報を含む第２情報をクラウドサーバ４０から受信する。
【００４６】
送信部３５−２は、各種情報を送信する。例えば、送信部３５−２は、照明機器１０に制御情報を送信する。また、送信部３５−２は、クラウドサーバ４０へ情報の要求を送信する。
【００４７】
操作制御部３５−３は、操作部における操作に応じて照明機器１０を制御する。例えば、操作制御部３５−３は、操作機２０における操作に応じて照明機器１０を制御する。例えば、操作制御部３５−３は、フェーダ操作機２０Ｂの第１操作部２０Ｂ−１１〜２０Ｂ−１２や第２操作部２０Ｂ−２における操作に応じて照明機器１０を制御する。具体的には、操作制御部３５−３は、ユーザがフェーダ操作機２０Ｂの第１操作部２０Ｂ−１１〜２０Ｂ−１２や第２操作部２０Ｂ−２等を操作した場合、操作された第１操作部２０Ｂ−１１〜２０Ｂ−１２や第２操作部２０Ｂ−２等の操作部ＩＤと対応する制御アドレスを操作部情報記憶部３２−１から取得し、取得した制御アドレスを含む制御情報を出力することで、操作された第１操作部２０Ｂ−１１〜２０Ｂ−１２や第２操作部２０Ｂ−２等と対応する照明機器１０の制御を行う。
【００４８】
例えば、操作制御部３５−３は、操作部ＩＤ「２０Ｂ−１１」である第１操作部２０Ｂ−１１をユーザが操作した場合は、操作部ＩＤ「２０Ｂ−１１」と対応付けられた制御アドレス「ＡＤ１」に対応する照明機器１０の制御対象が操作される。
【００４９】
更新部３５−４は、受信部３５−１がクラウドサーバ４０から受信した一時情報により操作部情報記憶部３２−１や一時情報記憶部３２−２を更新する。例えば、更新部３５−４は、一時情報をシーンＡの再現に必要な調光情報からシーンＢの再現に必要な調光情報へ更新する。なお、更新部３５−４による操作部情報記憶部３２−１や一時情報記憶部３２−２の更新例については後述する。
【００５０】
［クラウドサーバの構成例］
次に、図７を用いて、実施形態に係るクラウドサーバ４０の構成について説明する。図７は、実施形態に係るクラウドサーバの構成を示す図である。図７に示すように、クラウドサーバ４０は、通信部４１と、記憶部４２と、制御部４３とを有する。
【００５１】
通信部４１は、照明システム１における導入先の各装置（例えば照明制御装置３０等）との間の通信を制御する機能を有し、例えば、ＮＩＣ等により実現される。
【００５２】
記憶部４２は、例えば、ＲＡＭ、フラッシュメモリ等の半導体メモリ素子、または、ハードディスク、光ディスク等の記憶装置によって実現される。実施形態に係る記憶部４２は、図７に示すように、第２情報記憶部４２−１を有する。
【００５３】
第２情報記憶部４２−１には、第１情報以外の情報である第２情報が記憶される。例えば、図８は、実施形態に係る第２情報記憶部に記憶された情報の一例を示す図である。図８に示す例では、第２情報記憶部４２−１には、演目と第２情報とが対応付けて登録されている。第２情報ＩＤは、第２情報を識別するための情報である。例えば、図８に示す例では、例えばシーンやキュー（ＣＵＥ）やサブマスタ（ＳＭ）等と称される調光情報が、第２情報として登録されている。
【００５４】
例えば、演目Ａには、第２情報ＩＤ「ＳＮ１１」により識別される第２情報や第２情報ＩＤ「ＳＮ１２」により識別される第２情報が対応付けて記憶される。第２情報ＩＤ「ＳＮ１１」により識別される第２情報には、制御アドレス「ＡＤ１」に対応付けられた照明機器１０の制御対象に対する制御内容「ＯＵＴ１」が含まれる。なお、制御内容「ＯＵＴ１」は、照明機器１０の制御対象に対する具体的な制御内容を示す情報が含まれ、例えば、制御アドレス「ＡＤ１」に対応付けられた照明機器１０の制御対象を出力５０％にすることや、色を変化させること等を示す情報が含まれてもよい。なお、後述するように、第２情報記憶部４２−１が記憶する第２情報は、照明制御装置３０に配信されて一時情報として用いられる。かかる機能において、第１操作部２０Ｂ−１１〜２０Ｂ−１２や第２操作部２０Ｂ−２等との対応付けが自動で行われる場合には、第２情報記憶部４２−１には、図８に示す情報以外にも、対応付けられる第１操作部２０Ｂ−１１〜２０Ｂ−１２や第２操作部２０Ｂ−２等の操作部ＩＤ（例えば、フェーダ番号等）が対応付けて登録されることとなる。
【００５５】
図７に戻り説明を続ける。制御部４３は、各種の処理手順などを規定したプログラム及び所要データを記憶するための内部メモリを有し、これらによって種々の処理を実行するが、特に本発明に密接に関連するものとしては、受信部４３−１、抽出部４３−２、及び送信部４３−３を有する。
【００５６】
受信部４３−１は、外部からの各種情報を受信する。例えば、受信部４３−１は、照明制御装置３０から情報の要求を受信する。
【００５７】
抽出部４３−２は、受信部４３−１が受信した要求に応じて、第２情報記憶部４２−１から第２情報を抽出する。例えば、抽出部４３−２は、要求に対応する演目名や第２情報ＩＤに基づいて、第２情報記憶部４２−１から第２情報を抽出する。
【００５８】
送信部４３−３は、各種情報を送信する。例えば、送信部４３−３は、抽出部４３−２により抽出された第２情報を制御ユニット１００へ送信する。
【００５９】
［照明機器の調光の再現］
次に、クラウドサーバ４０から取得した一時情報を用いた照明機器の調光の再現について、図９〜図１１を用いて説明する。図９は、実施形態に係る照明機器の調光の再現の一例を示すシーケンス図である。
【００６０】
まず、照明制御装置３０は、ユーザ操作により照明機器１０の調光を制御する（ステップＳ１０１）。例えば、ユーザによるフェーダ操作機２０Ｂの第１操作部２０Ｂ−１１〜２０Ｂ−１２等への操作により、照明制御装置３０は、照明機器１０の調光を制御する。
【００６１】
そして、照明制御装置３０は、一時情報（シーンＡ）に基づいて照明機器１０の調光を制御する（ステップＳ１０２）。例えば、照明制御装置３０は、ユーザによるフェーダ操作機２０Ｂの第２操作部２０Ｂ−２への操作により、一時情報（シーンＡ）に基づいて照明機器１０の調光を制御する。
【００６２】
その後、照明制御装置３０は、シーンＢの情報の要求をクラウドサーバ４０へ送信する（ステップＳ１０３）。例えば、照明制御装置３０は、上演中である演目ＡのシーンＡの次のシーンＢの情報を要求する。
【００６３】
情報の要求を受信したクラウドサーバ４０は、要求に応じた第２情報を抽出し、抽出した第２情報を照明制御装置３０へ送信する（ステップＳ１０４）。例えば、クラウドサーバ４０は、シーンＢの調光情報を一時情報として照明制御装置３０へ送信する。
【００６４】
照明制御装置３０は、受信したシーンＢの情報に一時情報を更新する（ステップＳ１０５）。例えば、照明制御装置３０は、図１０の操作部情報記憶部３２−１Ａに示すように、操作部ＩＤ「２０Ｂ−２」に対応付けられた操作対象を一時情報ＩＤ「ＳＮ１１」から一時情報ＩＤ「ＳＮ１２」に更新する。また、照明制御装置３０は、図１１の一時情報記憶部３２−２Ａに示すように、記憶する一時情報を一時情報ＩＤ「ＳＮ１１」により識別されるシーンＡの調光情報から一時情報ＩＤ「ＳＮ１２」により識別されるシーンＢの調光情報に更新する。
【００６５】
その後、照明制御装置３０は、一時情報（シーンＢ）に基づいて照明機器１０の調光を制御する（ステップＳ１０６）。
【００６６】
［その他］
なお、上述した例では、照明制御装置３０は、シーンごとに第２情報をクラウドサーバ４０から取得した。しかしながら、実施形態は、これに限定されるものではない。例えば、照明制御装置３０は、１０個のフェーダを有する場合は、ある演目に含まれるシーンのうち１番目のシーンから１０番目のシーンを再現するための情報を予めクラウドサーバ４０から取得する。そして、照明制御装置３０は、シーンを再現する度に、新たなシーンを再現するための情報をクラウドサーバ４０から取得し、直前に操作された操作部（例えば、第１操作部２０Ｂ−１１〜２０Ｂ−１２や第２操作部２０Ｂ−２等。以下同じ）に取得した情報を割り当ててもよい。
【００６７】
例えば、照明制御装置３０は、１番目のシーンから１０番目のシーンを再現するための情報を取得した状態において、２番目のシーンを再現した場合は、１１番目のシーンを再現するための情報を取得し、１番目のシーンが割り当てられていたフェーダ等に１１番目のシーンを再現するための情報を割り当ててもよい。このような処理を行うことで、照明制御装置３０は、例えば、操作機２０が有するフェーダの数が少ない場合にも、照明演出を容易に行うことができる。
【００６８】
また、上述した第２情報は、第１情報以外の情報であれば、任意の情報が適用可能である。例えば、第２情報は、操作機２０におけるボタン操作、フェーダの操作、シーンやフェーダの操作内容、ＤＭＸの信号レベルを示す情報であってもよい。このような情報をクラウドサーバ４０から取得して用いることで、照明制御装置３０は、最低限の機能を有する場合にも、任意の照明態様を再現できる。
【００６９】
また、照明制御装置３０は、演目が開始してから経過した時間に応じたシーンを再現するための情報を第２情報として取得してきてもよい。例えば、照明制御装置３０は、演目が開始してから３０分が経過するまでのシーンを再現するための情報を予め取得しておき、その後、演目開始後３０分が経過するまでの間に、演目開始後３０分から１時間が経過するまでのシーンを再現するための情報を取得して、操作部に割り当ててもよい。すなわち、照明制御装置３０は、シーンを再現するための情報をある程度先読みしてクラウドサーバ４０から取得してもよい。
【００７０】
また、照明システム１は、シーンを再現するための情報のみならず、任意の機能を発揮するためのアプリケーションを第２情報として配信してよい。例えば、照明システム１は、照明制御装置３０に接続された照明機器１０の情報を表示するための機能、照明機器１０の設置位置を表示するための機能、吊り込み図と照明機器１０の実際の設置位置とを比較するための機能、ＤＭＸアドレスの確認や自動割り当て等、照明制御装置３０の操作や照明機器１０の制御に関する任意の機能を発揮するためのアプリケーションを第２情報として配信してもよい。
【００７１】
また、例えば、照明システム１は、照明制御装置３０を操作する利用者（以下、操作者と記載する。）の認証を行う機能、操作者ごとの設定を再現する機能、操作内容を操作者ごとに保持若しくは再現する機能等、操作者に応じた機能を発揮するためのアプリケーションを第２情報として配信してもよい。また、照明システム１は、地震発生時や火災発生時等に自動で照明機器１０を制御する機能、照明機器１０のチェック機能、操作内容を操作履歴としてクラウドサーバ４０に保持し、閲覧する機能（すなわち、ログ解析機能）等、保全に関する機能を発揮するためのアプリケーションを第２情報として配信してもよい。すなわち、照明システム１は、プラグイン機能（すなわち、照明システム１の導入時から必然的な応答性を要しない機能）を発揮するための情報を第２情報として配信してよい。
【００７２】
例えば、照明システム１は、照明制御装置３０が照明機器１０のＯＮ／ＯＦＦを実現するための機能等、予め定められた（若しくは、必要最小限の）機能を発揮するための情報を第１情報として照明制御装置３０に保持させておき、必要に応じて用いられる他の機能を発揮するための情報を第２情報としてクラウドサーバ４０から照明制御装置３０に配信すればよい。また、照明システム１は、上述した例に係らず、任意の機能を発揮するための情報を第１情報または第２情報としてよく、第１情報または第２情報として採用される情報は、照明システム１や操作者ごとに異なる情報であってもよい。例えば、照明システム１は、照明システム１の導入時において利用者が選択した機能を発揮するための情報を第１情報として照明制御装置３０に保持させ、他の任意の機能を発揮するための情報を第２情報としてクラウドサーバ４０から配信してよい。
【００７３】
また、照明システム１は、第２情報の配信に対する課金を行ってもよい。例えば、照明システム１は、照明制御装置３０が利用可能な機能を、各機能の課金額とともに操作者に提示し、操作者が機能を選択した場合は、選択された機能を発揮するための情報を第２情報として照明制御装置３０へ配信するとともに、対応する金額の課金を行ってもよい。すなわち、照明システム１は、照明制御機能をモジュール単位若しくはパッケージ単位で販売してもよい。
【００７４】
このように、照明システム１は、応答性を要する第１情報を予め照明制御装置３０に保持させておき、第１情報以外の第２情報を、必要に応じて、クラウドサーバ４０から照明制御装置３０へと配信する構成を有するのであれば、第１情報や第２情報の内容や種別、各情報が発揮する機能、配信態様等については、任意の態様が適用可能である。
【００７５】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態や変形例は、発明の範囲や要旨に含まれると同様に、特許請求の範囲に記載された発明とその均等の範囲に含まれるものである。また、この実施形態や変形例は、処理内容を矛盾させない範囲で適宜組み合わせることが可能である。
【符号の説明】
【００７６】
１        照明システム
１０      照明機器
１００    制御ユニット
２０Ｂ    フェーダ操作機
３０      照明制御装置
３２      記憶部
３２−１  操作部情報記憶部
３２−２  一時情報記憶部
３５      制御部
３５−１  受信部
３５−２  送信部
３５−３  操作制御部
３５−４  更新部
４０    クラウドサーバ（外部サーバ）
４２      記憶部
４２−１  第２情報記憶部
４３      制御部
４３−１  受信部
４３−２  抽出部
４３−３  送信部
【図１】
2017059403.tif 000003
【図２】
2017059403.tif 000004
【図３】
2017059403.tif 000005
【図４】
2017059403.tif 000006
【図５】
2017059403.tif 000007
【図６】
2017059403.tif 000008
【図７】
2017059403.tif 000009
【図８】
2017059403.tif 000010
【図９】
2017059403.tif 000011
【図１０】
2017059403.tif 000012
【図１１】
2017059403.tif 000013